(57)【要約】【課題】３階住宅の屋外避難路として火災または非常事態に於いて自力、他力の避難が可能な常設の避難器具を提供する。【解決手段】内筒を有するロープ収納筒１にロープ４およびロープ降下金物５を収納し、このロープ収納筒１の上部には防水キャップ１２を設けてあり、このロープの上端をロープ収納筒頭部２で支持させており、中間をこのロープ降下金物５に押通しこの内筒６の外周に捲回させて、下端をロープ収納筒１の下端に設けたロープ受け止め部材７と接続させて、このロープ受け止め部材７を引き抜きピン８でロープ収納筒１から脱落させてロープ収納具として避難路を有する建築物の外壁に立設固定するとともに、このロープ降下金物５にフック金物を介して吊ベルト１７を掛着したことを特徴とする脱出用避難器具。【選択図】  図７
2008104867.tif 000002
【特許請求の範囲】
【請求項１】
内筒を有するロープ収納筒にロープおよびロープ降下金物を収納し、このロープ収納筒の上部には防水キャップを設けてあり、このロープの上端をロープ収納筒頭部で支持させており、中間をこのロープ降下金物に押通しこの内筒の外周に捲回させて、下端をロープ収納筒の下端に設けたロープ受け止め部材と接続させて、このロープ受け止め部材を引き抜きピンでロープ収納筒から脱落させてロープ収納具とし避難路を有する建築物の外壁に立設固定するとともに、このロープ降下金物にフック金物を介して吊ベルトを掛着することを特徴とする脱出用避難器具。
【請求項２】
このロープ降下金物は、還しシャフトを支点に支持リングとフックリングを有し返しシャフトより操作リングを突出させこの操作リングとフックリングに他のリングを挟んで切り替えリングとして、ロープの下端より切り替えリングと操作リングとフックリングを押通して還しシャフトでこのロープを還し支持リングへと押通していることを特徴とする請求項１記載の脱出用避難器具。
【請求項３】
ロープの下方にロープチューブを設けたことを特徴とする請求項１または請求項２記載の脱出用避難器具。
【請求項４】
前記、ロープを捲回する内筒とロープ収納筒の上端と下端を外気と連通させたことを特徴とする請求項１または請求項２または請求項３記載の脱出用避難器具。
【発明の詳細な説明】
【技術分野】
【０００１】
本発明は、住宅の居住者が火災または地震若しくは不意の侵入者等において、身の危険を生じたときに、迅速に戸外脱出避難が出来る避難器具である。
【背景技術】
【０００２】
従来、非常時や火災時に使用される避難具としては、一般に金属製避難はしご、または縄はしご等があるが、これ等は小人や女性や高齢者には単独の早期脱出は困難であるという問題がある。
【０００３】
上記問題点を解決する避難器具として種々の提案がされている。例えば、特許文献１では、胴体及び足の吊り帯び、リールのワイヤーの支持枠１のワイヤーの端を強固定物に捲き止め、本体のリールに巻いて有るワイヤー４を捲き戻しその延長が降下する。減速は体重比例負荷重で胴体吊り帯びとなる吊りベルト１７に連なる傾斜枠金具がリールに負荷摺り動ブレーキを掛け、安全を期す為リール縁に係突部を設け一回転ごとに自然に掛り止る構造で、これに連なる握り柄１４にて任意の離放作動で、確実に秒速６０センチ内外で降下する携帯用降下具が提案されている。
【０００４】
また、特許文献２では、ロープを懸垂下降する人間を、ロープに対して任意に停止または緩下降させるためのロープ下降器であって、ロープの小ループを挿通するためのロープ穴を有するリング部と、このリング部に付設された、該小ループ状のロープを掛けるフックと、上記リング部を回動させるためのレバーと、上記リング部に付設された、人間の体重を支える部材の連結手段と、を具備したロープ下降器が提案されている。
【０００５】
さらに、特許文献３の避難器具は、ワイヤーロープ１に加わる力で、ドラム２と、シャフト５を通して、ピストン３を動かし、シリンダ１４内の油圧オイル１５に圧縮力を加え、バルブ７の開放の度合により、油圧オイル１５を移動させて、ドラム２の回転速度を調整して、降下速度を体重に応じて設定できるようにするワイヤーロープにより降下する避難器具が提案されている。
【０００６】
【特許文献１】実開平６―６１２７５号公報
【特許文献２】実開平９―１０３３８号公報
【特許文献３】実開平５―９１７０５号公報
【発明の開示】
【発明が解決しようとする課題】
【０００７】
しかしながら、特許文献１の携帯用降下具は、携帯用の目的であり携帯者のみが避難降下出来るものであり、この様な降下具は外壁を利用して降下する器具であり熟練者のみが使用できるものである。
【０００８】
また、特許文献２のロープ下降器は、避難具の目的ではないが単人の降下は可能であるが避難具としては、だれもが使用できる器具でもなく、付勢降下が起ると停止性に優れたレバーが役にたたず、この下降器は停止する為の下降器であり、だれもが使用できる避難を目的とする器具には不適である。
【０００９】
特許文献３の避難器具は、自重で降下できる避難器具は、吊るされる重量により降下調整が必要であり特定人の避難器具である。
【００１０】
以上の様に、火災または非常時に使用される避難を目的とする器具は、だれもが通常の知識で操作ができ、避難が完結できるものでなければならない。
【課題を解決するための手段】
【００１１】
本発明の脱出用避難器具は、内筒を有するロープ収納筒にロープおよびロープ降下金物を収納し、このロープ収納筒の上部には防水キャップを設けてあり、このロープの上端をロープ収納筒頭部で支持させており、中間をこのロープ降下金物に押通しこの内筒の外周に捲回させて、下端をロープ収納筒の下端に設けたロープ受け止め部材と接続させて、このロープ受け止め部材を引き抜きピンでロープ収納筒から脱落させてロープ収納具とし避難路を有する建築物の外壁に立設固定するとともに、このロープ降下金物にフック金物を介して吊ベルトを掛着したことを特徴とする。
【００１２】
さらに、前記ロープ降下金物は、還しシャフトを支点に支持リングとフックリングを有し返しシャフトより操作リングを突出させこの操作リングとフックリングに他のリングを挟んで切り替えリングとして、ロープの下端より切り替えリングと操作リングとフックリングを押通して還しシャフトでこのロープを還し支持リングへと押通していることを特徴とする。
【００１３】
さらに、前記ロープの下方にロープチューブを設けたことを特徴とする。
【００１４】
さらに、前記ロープを捲回する内筒とロープ収納筒の上端と下端を外気と連通させたことを特徴とする。
【発明の効果】
【００１５】
本発明の脱出用避難器具は、内筒を有するロープ収納筒にロープおよびロープ降下金物を収納して、このロープ収納筒の上部には防水キャップを設けてあり、このロープの上端をロープ収納筒頭部で支持させており、中間をこのロープ降下金物に押通しこの内筒の外周に捲回させて、下端をロープ収納筒の下端に設けたロープ受け止め部材と接続させて、このロープ受け止め部材を引き抜きピンでロープ収納筒から脱落させてロープ収納具として、避難路を有する建築物の外壁に立設固定しているので生活空間を損なわず常時目視ができる避難器具であり、居住者が忘れることもなく火災または非常時の脱出には、常設されている収納筒の引き抜きピンを抜くことで、全ての脱出準備が完了し吊ベルトを装着して掛着することで、どの様な姿勢で戸外脱出しても垂直懸吊され、人体は小力のロープ操作で縣吊軟着が可能であり、小人、女性、高齢者においても単独の早期脱出が行える避難器具である。またロープ降下金物及び吊りベルトの増設で数人の脱出避難も可能でありロープを握ることが出来ない身体障害者においても、階下または地上に於いて、他の人がロープの操作をすることで降下避難さすことも可能である。この１本のロープに縣吊される為、脱出時の降下空間や避難空地も特別必要とせず近年多く建築されているペンシル型の３階建の住宅には軽備で安価に提供できる、この様な避難器具が求められている。さらにロープ降下金物は、還しシャフトを支点に支持リングとフックリングを有し返しシャフトより操作リングを突出させこの操作リングとフックリングに他のリングを挟んで切り替えリングとしてこのロープ下端より切り替えリングと操作リングとフックリングを押通して還しシャフトで還し支持リングへと押通しているので懸吊された人体は梃の作用で小力でのロープの降下操作ができる。さらにロープの下方にロープチューブを設けているので付勢の降下が生じたときには着地時に軟着て転倒を防ぐことができる。さらにこのロープを巻回する内筒とロープ収納筒の上端と下端を外気と連通させているのでロープ収納筒内は自然対流が発生してロープ及びロープ降下金物を防蝕している。
【発明を実施するための最良の形態】
【００１６】
以下、本発明の実施例を図面にもとづいて説明する。
【００１７】
（実施例１）
図１から図６は実施例１を示し、図１において、円筒のロープ収納筒１の上端に位置するロープ収納筒頭部２は丸鋼短管でできている。このロープ収納筒頭部２にロープ4の上端をロープ支持ボルト１５で締着し吊設する。このロープ支持ボルト１５は膨張や振動等での緩みを防ぐ処置をしている。このロープ４には、その上端よりロープ降下金物５と、ロープチューブ９を押通しロープ４の下端でボールチェーン１０を介して円板状のゴムでできたロープ受け止め部材７が設けられている。ロープ降下金物５はロープ収納筒１の下端付近に吊設し、ロープチューブ９はロープ４の下方に持着してロープ４の下端でボールチェーン１０を介して、ロープ４を速やかに落下さす円板ゴムの受け止め部材７の中心で抜脱可能に接続する。ロープ降下金物５は、ロープ収納筒１に納める内筒内６に収容し、ロープ４は内筒６の上端より外周に、コイル状に捲回し、中央付近で逆捲回して内筒６の下端で再度内筒内６に回し、このロープ４と内筒６を係合し円板ゴムのロープ受け止め部材７及び引き抜きピン８で抜脱可能にロープ収納筒１の下端で支持する。ロープ収納筒頭部２には、雨水の浸入を防ぐ防水キャップ１２を冠着している。
【００１８】
前記ロープチューブ９は、移動が可能なシリコン系のチューブでロープ４の外径と同じでロープ４に持着ができるロープチューブ９である。
【００１９】
このロープ降下金物５と内筒６に捲回したロープ４を収納したロープ収納筒１を立設固定して、ロープ収納筒１と内筒６の内部は１８の矢印のように自然対流が発生するので、ロープ４とロープ降下金物５を防蝕している。
【００２０】
上記の構成の脱出用避難器具を用いて実際に降下する実施について図２に基づいて以下、説明する。ロープ収納筒１の下端近辺の取り付足１６で立設固定されている。ロープ収納筒１の下端の引抜ピン８を抜くと、ロープ下端に抜脱可能に接続されているボールチェーン１０と円板ゴムでできたロープ受け止め部材７の先導でロープ４と内筒６とが落下して、ロープ収納筒１の下端近辺にロープ降下金物５が吊設される。このとき内筒６はロープ４から離れ地上に落下する。吊設されたロープ４は半逆捲回しているので落下と同時に垂直に吊設される。転落を防ぐ吊ベルト１７を装着した人体Ｍは、吊設されたロープ降下金物５のフックリング５Ｄにフック金物の３５に掛着して、戸外に乗り出しロープ４に懸吊する、人体Ｍはロープ４を強く握りロープ降下金物５の下部のロープ４の持ち手Ｘを緩めることで緩降下を行い、この緩降下を繰り返すことで懸吊軟着する。このロープ降下金物５の降下を停止さす力のバランスを表１に記載する。
【００２１】
ロープ降下金物５の降下を停止さす力のバランス表を下記に示す。
【表１】
2008104867.tif 000003
【００２２】
図３から図６に基づいてロープ４に吊設されたロープ降下金物５について説明する。
【００２３】
図５および図６において、ロープ降下金物５は支持リング５Ａとロープ４を還す丸シャフトを小判型のリングに渡してロープ還しシャフト５Ｂとしてロープを操作するＵ字型の操作リング５Ｃおよび人体を懸吊るフックリング５Ｄを一体として構成されている。
【００２４】
すなわち、ロープ降下金物５は、小判型のリングの中央付近で仕切られるようにロープ還しシャフト５Ｂの両端を一部露出させて小判型のリングに渡設している。このロープ還しシャフト５Ｂで仕切られた一方の小判型のリングをロープ４に支持する支持リング５Ａとして、他方をフックリング５Ｄとする。またこの小判型のリングの中央付近でＵ字型の操作リング５Ｃを放射状に突出させて、ロープ４の緩降下を操作することができる。操作リング５Ｃとフックリング５Ｄとがなす角度は５０度に設定している。
【００２５】
次に、図３において、上記の構成のロープ降下金物５を用いて、ロープ４を支持リング５Ａに通してロープ還しシャフト５Ｂで還し、操作リング５Ｃに通す。
【００２６】
そして、図４に示すように、ロープ４に吊設されたロープ降下金物５のフックリング５Ｄに吊ベルト１７（図１１および図１２参照）を介して人体を懸吊すると、フックリング５Ｄはロープ４の吊芯となり、操作リング５Ｃはロープ４の吊芯外となり、このロープ４とロープ降下金物５の摩擦力が大となりロープ降下金物５の降下を減衰さす。
【００２７】
（実施例２）
図７から図1０は実施例２を示し、図１又は図３から図６の改良したものであり、図７について説明する。円筒のロープ収納筒１の上端に位置するロープ収納筒頭部２は丸鋼短管でできている。このロープ収納筒頭部２に平鋼二枚のロープ支持部３を渡設溶着してロープ４の端部をロープ支持ボルト１５で締着しており、このロープ支持ボルト１５は膨張や振動等での緩みを防ぐ処置がされている。このロープ収納筒１の上端の外周には小動物の侵入を防ぐ防虫網１４が捲着されている。ロープ４はロープ収納筒頭部２で吊設しており、このロープ４の下端よりロープ降下金物５と、ロープチューブ９を押通し、ロープ降下金物５はロープ収納筒１の下端付近に吊設し、ロープチューブ９はロープ４の下方に持着してロープ４の下端でボールチェーン１０を介してロープ４を速やかに落下さす円板状ゴムのロープ受け止め部材７の中心で抜脱可能に接続されている。このロープ降下金物５は、ロープ収納筒1に納める内筒６の内部に納置し、ロープ４は内筒の上端の外周よりコイル状に捲回し中央付近で逆捲回して内筒６の下端で再度内筒６の内部に挿入し、このロープ４と内筒６を係合して円板ゴムの受け止め部材７で受け止め、防虫網１４を係止した引き抜きピン８で抜脱可能にこのロープ収納筒1の下端で支持する。ロープ収納筒頭部２には雨水の浸入を防ぐ防水キャップ１２を冠着している。このロープ降下金物５と内筒６に捲回したロープ４を収納したロープ収納筒１を立設固定して、このロープ収納筒１と内筒６の内部は１８の矢印のように自然対流が発生するので、ロープ４とロープ降下金物５を防蝕している。
【００２８】
前記ロープ収納筒１を固定する取り付足１６は、懸吊降下時に梃の作用を防ぐ為に、ロープ収納筒1の下方付近に二足の平鋼を溶着し固定金物（図示されず）とボルト４本で固着する。この固定金物は木造住宅、ＡＬＣ住宅又は鉄筋コンクリート住宅等に、同一種の金物で固着方法を変えることで壁内の亀裂を防ぎ、引張強度を保つ対策が出来る。
【００２９】
図８のロープ降下金物５について説明する。ロープ収納筒１の下端近辺に吊設されているロープ降下金物５は、小判型リングの中央付近で、丸シャフトの両端を半埋めに渡設して他の小判型リングを切断したＵ字型の部材を、この丸シャフトの両端のリングに放射状に突出させて、この丸シャフトの半埋め部分で溶着して、この丸シャフトで仕切られた一方のリングをロープ４に支持するリング５Ａとして、他の一方を懸吊するフックリング５Ｄとする、放射状に突出したリングはロープ４の緩降下を操作する操作リング５Ｃとして、この丸シャフトはロープ４を還す還しシャフト５Ｂとする。この操作リング５Ｃとフックリング５Ｄに支点を設けた小判型リングを挟んで、このリングを切替えリング５Ｅとしてロープ４の下端より、切替えリング５Ｅと操作リング５Ｃに押通し再度切替えリング５Ｅの支点近辺とフックリング５Ｄを押通して、還しシャフト５Ｂで、このロープ４を還し支持リング５Ａへと押通し、ロープ収納筒１の下端近辺に吊設される、ロープ降下金物５である。
【００３０】
図８においてロープ降下金物５の作用について説明する。降下を停止する切替えリング５Ｅを挟んだロープ降下金物５は、ロープ４の下端より切替えリング５Ｅと、操作リング５Ｃに押通され再度切替えリング５Ｅの支点２２近辺とフックリング５Ｄを押通して還しシャフト５Ｂで還し、支持リング５Ａへと押通されて、このロープ４に吊設されている。このロープ降下金物５のフックリング５Ｄに人体Ｍを懸吊すると、フックリング５Ｄと人体Ｍはロープ４の吊り芯で懸吊される、同時に操作リング５Ｃとロープ２４が吊り芯外となり操作リング５Ｃはロープ４と丸板ゴムのロープ受け止め部材７の自重を吊るしている。このロープ降下金物５の降下を停止するには、操作リング５Ｃとフックリング５Ｄに挟んだ切替えリング５Ｅをフックリング５Ｄ側にすると吊りロープ２３は吊芯へと移り、切替えリング５Ｅの支点２２は還しシャフト５Ｂの腹部３３に位置して、同時に操作リング５Ｃのリング口径Ｑを減径させる。このときロープ４は２０部で小さく曲り、このロープ降下金物５の降下を止めている。また降下を始めるには懸吊された人体Ｍがロープ２３を強く握ると切替えリング５Ｅは操作リング５Ｃ側に跳ね上がり、同時に切り替えリング５Ｅの支点２２は還しシャフト５Ｂの底部３２へと変わり操作リング５Ｃのリング口径Ｑも拡径してこのロープ４の２０部の小曲も緩和され降下が可能となる。また人体Ｍの降下の操作は、操作リング５Ｃがロープの吊芯から離れているので、懸吊された人体Ｍがロープ４を握る事で梃の作用が働きロープ４の操作は小力でロープ降下金物５の降下を停止さす事ができる。
【００３１】
さらに人体Ｍが懸吊降下する時に、ロープ４から持ち手Ｘが離れたときは付勢の降下が生じるが、ロープ降下金物５の切り替えリング５Ｅのリングが、操作リング５Ｃのロープ４の緩みを干渉して減勢させ懸吊降下での軟着地できる。
【００３２】
また着地時には、ロープ４の下方に持着しているロープチューブ９がロープ降下金物５の降下を止めて人体Ｍの転倒を防止する。
【００３３】
また、階下及び地上においてロープ４の操作４０（図２）をすることでこのロープ４のＸを握る事が出来ない人体Ｍにおいても安全に降下さすことが可能である。
【００３４】
図９においては、上記フックリング５Ｄと操作リング５Ｃの係りを側面で補足説明をする。ロープ４に吊設された、ロープ降下金物５のフックリング５Ｄに人体Ｍを懸吊すると、フックリング５Ｄはロープ４の吊芯となり操作リング５Ｃはロープ４の吊芯外となり、降下する人体Ｍはロープ２８を軽く握り緩降下繰り返して降下をおこなう。
【００３５】
図１０では、ロープ降下金物５に挟んだ切替えリング５Ｅの支点の位置を示す図である。切り替えリング５Ｅの支点２２は降下停止で還しシャフト５Ｂの腹部３３に位置して降下時には還しシャフト５Ｂの底部３２へと切替わる。
【００３６】
なお、吊ベルト１７の実施形態について図１１から図１２に基づいて以下、説明する。図１１において、人体Ｍに装着する吊りベルト１７のフック金物でロープ降下金物５のフックリング５Ｄのリングに３４を掛けることで掴むことが出来て、引くことでフックリング５Ｄは３５に入り掛着が完了する。同時に丸座３６が反転して３４の開口部を閉じて人体Ｍの転落を防止する。
【００３７】
また図１２において、吊りベルト１７の三角リング３８の継目はフック金物３７の穴に通してベルトの折返し部で溶着して、この吊ベルトの折返し部はアルミ板３９で両面を挟み鋲着してあり懸吊り時の歪みを抑え引張荷重に耐える。また人体Ｍの抜脱を防ぐ胸元引止め金物具４０は、縣吊り時には吊り元方向に移動さす事は出来ず、懸吊された人体Ｍの抜脱を防止する。
【００３８】
上記構成の脱出用避難器具を用いて実際に降下する実施について図２に基づいて以下、説明する。吊ベルト１７を装着した人体Ｍは、立設固定されているロープ収納筒１の下端の引き抜きピン８を抜くと、ロープ４と接続している円板ゴムのロープ受け止め部材７が、速やかに落下してロープ４を落下さす。同時に逆捲回しているロープ４は垂直になり内筒６は地上に落下する。この内筒６に納置されていたロープ降下金物５がロープ収納筒１の下端付近に吊設される。吊ベルト１７を装着した人体Ｍは、このロープ降下金物５のフックリング５Ｄに吊ベルト１７のフック金物の３４で掴み掛着して、住戸外に乗り出して懸吊する。ロープ４を持ち手Ｘで握るとロープ降下金物５の切り替えリング５Ｅが跳ね上がり人体Ｍは降下することが可能となる。また降下には人体Ｍの体重の０,５パーセントの力が必要であり、この降下する力のバランス表を表２に記載する。
【００３９】
ロープ降下金物５の降下を停止さす力のバランス表を下記に示す。
【表２】
2008104867.tif 000004
【００４０】
上記の（表２）に記載しているロープ４に加える重量Ｘは平常時の数値であるが、このロープ４が雨水に濡れると、ロープ降下金物５とロープ４の摩擦力が更に大となり、持ち手Ｘの力は小力になる。
【００４１】
ロープ４または円板ゴムのロープ受け止め部材７が落下時に樋または面格子などの障害物等に挿入して、降下障害を生じた時は、ロープ４を引き揚げることでボールチェーン１０と、円板ゴムのロープ受け止め部材７の接続部で切り離しすることが出きる。
【００４２】
このロープ収納筒１に収納している各部材の引張り耐荷重は、ロープ支持部３は５,８００ニュートンである。ロープ４は１２,７００ニュートンである。また降下金物５は２,９００ニュートンである。人体Ｍを懸吊する吊りベルト１７は２,４００ニュートンで衝撃荷重にも対応する。
【００４３】
各部材の材質として。ロープ収納筒１は、ＳＳ丸鋼管で外径は１００ｍｍφで、長さは４００ｍｍである。またロープ降下金物５は、ＳＳ丸鋼の６ｍｍφで、還しシャフト５Ｂのシャフトの丸鋼は１３ｍｍφである。ロープ収納筒頭部２で支持され捲き回しているロープ４はクレモナビニロンロープの１２ｍｍである。またロープ４の下端で接続されている円板ゴムのロープ受け止め部材７は天然ゴムの８０ｍｍφで２０ｍｍの厚さである。脱出する人体Ｍを懸吊する吊りベルト１７は、ポリプロピレン製の繊維でできており、そのベルトの幅は５０ｍｍで、厚さは１.６ｍｍである。ロープ収納筒頭部２に冠着する防水キャップ１２は、ポリエチレン樹脂でできており、その外径は１２０ｍｍφである。またロープ収納筒頭部２でロープ４を支持しているボルト１５はステンレス鋼の８ｍｍである。引抜きピン８はロープ収納筒１の下端で全ての部材を支持するものであり、スプリング性を持たせて線径３.７ｍｍのステンレス鋼でできている。
【図面の簡単な説明】
【００４４】
【図１】本発明の実施例１を示すロープ収納筒の詳細断面図である。
【図２】同上の実施態様を示す図である。
【図３】同上のロープに吊設されたロープ降下金物の側面図である。
【図４】同上のロープに吊設された懸吊時のロープ降下金物の側面図である。
【図５】同上のロープ降下金物の正面図である
【図６】同上のロープ降下金物の側面図である。
【図７】本発明の実施例２を示すロープ収納筒の詳細断面図である。
【図８】同上のロープ降下金物の作用を示す斜視図である。
【図９】同上のロープ降下金物の吊設時と懸吊時の吊りされるロープの吊芯が変わる側面図である。
【図１０】同上のロープ降下金物の組み立て斜視図である。
【図１１】同上の吊りベルトのフック金物の正面図である。
【図１２】同上の吊りベルトの斜視図である。
【符号の説明】
【００４５】
１ ロープ収納筒
２ ロープ収納筒頭部
３ ロープ支持部
４ ロープ 
５ ロープ降下金物       
６ 内筒
７ ロープ受け止め部材
８ 引抜きピン
９ ロープチューブ
１０ ボールチェーン
１１ 引抜きピン支持部
１２ 防水キャップ
１３ 取付けビス
１４ 防虫網
１５ ロープ支持ボルト
１６ ロープ収納筒の取り付足
１７ 吊りベルト
１８ 空気流通部
１９ ロープ逆捲回し部
４０ 他力の降下操作
【図１】
2008104867.tif 000005
【図２】
2008104867.tif 000006
【図３】
2008104867.tif 000007
【図４】
2008104867.tif 000008
【図５】
2008104867.tif 000009
【図６】
2008104867.tif 000010
【図７】
2008104867.tif 000011
【図８】
2008104867.tif 000012
【図９】
2008104867.tif 000013
【図１０】
2008104867.tif 000014
【図１１】
2008104867.tif 000015
【図１２】
2008104867.tif 000016